(57)【特許請求の範囲】
【請求項１】
被写体像を撮像する撮像面を有し、当該撮像面の前方に配設されたフィールドレンズの後端面に接合されたカバーガラスの後端面に接合された固体撮像素子と、前記固体撮像素子の後方に配設され、第１の電気的接合部で前記固体撮像素子と電気的に接続される回路基板と、前記回路基板の後方に配設され、第２の電気的接合部で前記回路基板と電気的に接続される信号ケーブルと、第３の電気的接合部で前記信号ケーブルと電気的に接続されるコネクタとを有する内視鏡において、
被写体光を入光する対物光学系を保持するレンズ保持枠の後端部に水密的に接合されると共に、その後端部においてのみ前記フィールドレンズを内周面で覆い、かつ水密的に固着する一方で前記固体撮像素子および前記回路基板に対しては当接せず、かつこれら固体撮像素子および回路基板を覆うことのない位置に配設された絶縁枠と、
前記絶縁枠の後端部外周から前記信号ケーブルの先端部外周にかけて、前記絶縁枠の後端部、前記固体撮像素子、前記第１の電気的接合部、前記回路基板および前記第２の接合部を覆うように配設された熱収縮チューブと、
前記フィールドレンズの後端面、前記信号ケーブルの先端部および前記熱収縮チューブの内周面とで形成される部位に充填され、前記第１の電気的接合部、前記回路基板および前記第２の電気的接合部を封止するフッ素系ゴムと、
を備えたことを特徴とする内視鏡。
【発明の詳細な説明】
【０００１】
【発明の属する技術分野】
本発明は、オートクレーブ滅菌を施すのに適する内視鏡に関する。
【０００２】
【従来の技術】
近年、体腔内等に細長の挿入部を挿入して、例えば食道、胃、小腸、大腸等の消化管や肺等の気管を観察し、必要に応じて鉗子挿通管路内に鉗子等の処置具を挿通して各種の治療処置を行える内視鏡が広く利用されている。内視鏡は、一般に、被写体像を撮像するＣＣＤ（電荷結合素子）等の固体撮像素子とこの固体撮像素子に電気的に接続された回路基板が挿入部先端に設けられ、この回路基板に電気的に接続された信号ケーブルが挿入部内を挿通するとともに内視鏡から延出し、この延出した信号ケーブルの端部にコネクタが電気的に接続されて構成されている。
【０００３】
このような内視鏡は、特に医療用途で使用される場合、症例間で確実に消毒滅菌することが感染症等を防止するために必要不可欠になる。従来、この消毒滅菌処理は、エチレンオキサイドガス等のガスや、消毒液に頼っていたが、周知のように滅菌ガス類は猛毒であり、滅菌作業の安全確保の為に滅菌作業は煩雑である。また、滅菌後に機器に付着したガスを取り除く為のエアレーションに時間がかかるので、滅菌後すぐに使用できないという欠点があり、更にランニングコストが高いという欠点がある。また、消毒液による消毒滅菌処理では消毒液の管理が煩雑であり、消毒液の廃棄処理に多大な費用が必要となる欠点がある。そこで、最近では、煩雑な作業を伴わず、滅菌後にすぐに内視鏡を使用でき、しかもランニングコストが安いオートクレーブ滅菌と呼ばれる高温高圧水蒸気滅菌が、内視鏡機器に対する滅菌処理で主流になりつつある。このオートクレーブ滅菌は、例えば米国規格ＡＮＳＩ／ＡＡＭＩＳＴ３７−１９９２では、約２気圧で１３２℃の蒸気に滅菌対象物を４分間さらすように規定されている。
【０００４】
一般に、内視鏡は、Ｏリング及び接着剤等により水密構造となっており、また、例えば回路基板及び回路基板に搭載された電子部品や、回路基板と導線との接合部や、導線とコネクタとの接合部は、エポキシ系接着剤やシリコーン系接着剤で覆われて保護されている。ところが、オートクレーブ滅菌では、高温高圧水蒸気が使用されており、この高温高圧水蒸気は、Ｏリング及び接着剤を透過し、内視鏡内部に侵入してしまう。また、エポキシ系接着剤やシリコーン系接着剤は吸湿性が高く、内視鏡内部に侵入した高温高圧水蒸気は、例えば回路基板及び回路基板に搭載された電子部品や、回路基板と導線との接合部や、導線とコネクタとの接合部に到達し、これら回路基板及び回路基板に搭載された電子部品や、回路基板と導線との接合部や、導線とコネクタとの接合部等が腐食する等して、内視鏡に故障や劣化が生じるという問題があった。
【０００５】
そこで、例えば、特開平１０−２３４６４９号では、内筒管の先端部にカバーガラスを気密に組み付けるとともに、内筒管の後端部に、気密を維持しつつ内外を電気的に接続するハーメチックコネクタを気密に組み付けて気密パッケージを構成し、この気密パッケージ内に、保護対象部材を収納することで、オートクレーブ滅菌に対する耐性を向上する内視鏡が示されている。なお、本願において、気密とは、オートクレーブ滅菌の高温高圧水蒸気に耐えうる程度の気密を意味する。
【０００６】
【発明が解決しようとする課題】
しかしながら、特開平１０−２３４６４９号に示されるような構成の内視鏡では、挿入部内に気密パッケージが設けられるので、挿入部外径が太くなるという欠点があった。また、気密パッケージが設けられることで、コストが高くなるという欠点があった。
本発明は、上記事情に鑑みてなされたものであり、オートクレーブ滅菌に対する耐性を向上しつつ、挿入部を細径化し、低廉化を可能とする内視鏡を提供することを目的とする。
【０００７】
【課題を解決するための手段】
前記目的を達成するため、本発明の内視鏡は、被写体像を撮像する撮像面を有し、当該撮像面の前方に配設されたフィールドレンズの後端面に接合されたカバーガラスの後端面に接合された固体撮像素子と、前記固体撮像素子の後方に配設され、第１の電気的接合部で前記固体撮像素子と電気的に接続される回路基板と、前記回路基板の後方に配設され、第２の電気的接合部で前記回路基板と電気的に接続される信号ケーブルと、第３の電気的接合部で前記信号ケーブルと電気的に接続されるコネクタとを有する内視鏡において、被写体光を入光する対物光学系を保持するレンズ保持枠の後端部に水密的に接合されると共に、その後端部においてのみ前記フィールドレンズを内周面で覆い、かつ水密的に固着する一方で前記固体撮像素子および前記回路基板に対しては当接せず、かつこれら固体撮像素子および回路基板を覆うことのない位置に配設された絶縁枠と、前記絶縁枠の後端部外周から前記信号ケーブルの先端部外周にかけて、前記絶縁枠の後端部、前記固体撮像素子、前記第１の電気的接合部、前記回路基板および前記第２の接合部を覆うように配設された熱収縮チューブと、前記フィールドレンズの後端面、前記信号ケーブルの先端部および前記熱収縮チューブの内周面とで形成される部位に充填され、前記第１の電気的接合部、前記回路基板および前記第２の電気的接合部を封止するフッ素系ゴムと、を備えたことを特徴とする。
【０００８】
【発明の実施の形態】
以下、図面を参照して本発明の実施の形態を説明する。
（第１の実施の形態）
図１ないし図３は本発明の第１の実施の形態に係り、図１は内視鏡の構成を示す説明図、図２は先端部の構成を示す断面図、図３はＣＣＵコネクタの構成を示す断面図である。
【０００９】
図１に示すように、本実施の形態の内視鏡１は、例えば体腔内に挿入して被写体へ照明光を照射し、被写体像を撮像して撮像信号を得る細長の挿入部２と、前記挿入部２の基端側に連設され、内視鏡１を把持し操作するための操作部３と、例えば前記操作部３の側部或いは基端部から延出し、外部装置と接続するためのユニバーサルコード４と、前記ユニバーサルコード４の端部に設けられ、外部装置である図示しない光源装置へ着脱自在に接続するライトガイドコネクタ５と、例えば前記ライトガイドコネクタ５の側部から延出し、内視鏡１で得られる撮像信号に映像信号処理を施す外部装置である図示しないＣＣＵ（カメラコントロールユニット）へ接続するＣＣＵケーブル６と、前記ＣＣＵケーブル６の端部に設けられ、ＣＣＵへ着脱自在に接続するＣＣＵコネクタ７とを備えて構成され、図示しない例えばＯリング及び接着剤等により水密構造となっている。
【００１０】
前記挿入部２は、前記操作部３の先端側に連設され体腔内に挿入する細長の蛇管部１１と、前記蛇管部１１の先端側に連設され前記操作部３からの操作により自在に湾曲する湾曲部１２と、前記湾曲部１２の先端側に連設された硬質の先端部１３とを備えて構成されている。前記操作部３は、前記湾曲部１２を湾曲自在に操作する湾曲操作レバー１４を備えている。
【００１１】
図２に示すように、前記先端部１３は、この先端部１３の本体枠２１と、前記挿入部２と前記操作部３と前記ユニバーサルコード４内を挿通し光入射端が前記ライトガイドコネクタ５に配置されたライトガイド２２の光出射端と、前記ライトガイド２２で導光された照明光を被写体へ向けて配光する照明レンズ２３と、被写体像を撮像する撮像装置２４とを備えて構成されている。
【００１２】
前記撮像装置２４は、前記撮像装置２４を前記本体枠２１へ組み付ける先端枠２５と、前記先端枠２５の先端部内周に気密に組み付けられたカバーガラス２６と、前記カバーガラス２６の後端側に設けられ略円筒状のレンズ枠３１と、前記レンズ枠３１内に組み付けられ、被写体像を結像する対物レンズ群３２と、前記レンズ枠３１の後端部に外嵌して接着剤等で固着されるとともに、前記先端枠２５の後端部内周に先端部が気密に固着された略円筒状の絶縁枠３３と、前記絶縁枠３３の後端部に気密に固着されたカバーガラス３４と、前記カバーガラス３４の後端面に接合され、被写体像を撮像して撮像信号を得るＣＣＤ３５と、前記ＣＣＤ３５と半田等で電気的に接合されつつ前記ＣＣＤ３５の後方に配置され、例えば前記撮像信号を増幅する回路等が構成された回路基板３６と、前記回路基板３６に搭載された例えばコンデンサを含む電子部品３７と、前記絶縁枠３３の後端に接合され、前記ＣＣＤ３５及び前記回路基板３６の周囲をシールドする例えば略円筒状で金属製のシールド枠３８と、前記回路基板３６に半田等により電気的に接合され、前記回路基板３６の後方へ延出する複数の導線３９と、前記複数の導線３９が束ねられて構成された信号ケーブル４０の先端部と、前記シールド枠３８の後端に接合され、前記信号ケーブル４０の先端部外周を締め付けて保持するケーブル固定部材４１と、前記ＣＣＤ３５の後端面から前記信号ケーブル４０の先端部にかけて設けられ、前記ＣＣＤ３５の電気接点部と前記回路基板３６と前記電子部品３７と前記導線３９の電気接点の周辺を封止する封止剤４２とを備えて構成されている。前記信号ケーブル４０は、前記挿入部２と前記操作部３と前記ユニバーサルコード４と前記ＣＣＵケーブル６を挿通して、他端が前記ＣＣＵコネクタ７に電気的に接続されている。なお、前記回路基板３６は、例えばリジッドな基板であってもよいし、フレキシブル基板であってもよい。また、前記封止剤４２は、蒸気透過性が低く、絶縁性のフッ素系ゴムからなり、このフッ素ゴムは、例えばフッ素系シリコーン樹脂、或いは、フッ素化ポリエーテル、或いは、パーフルオロポリエーテルポリマーを主成分としている。
【００１３】
図３に示すように、前記ＣＣＵコネクタ７は、前記ＣＣＵケーブル６の端部と、略円筒状に形成され、一方の孔から前記ＣＣＵケーブル６が内部に差し込まれた枠体５１と、前記枠体５１の他方の孔を塞ぐ蓋５２と、前記蓋５２を貫通して固着され、枠体５１の内外を電気的に接続する複数のピン５３と、前記枠体５１内部において、前記ピン５３と半田等で電気的に接合する導線３９の端部と、前記枠体５１内部において、前記ピン５３と前記導線３９との接合部を封止する封止剤５４とを備えて構成されている。前記封止剤５４は、蒸気透過性が低く、絶縁性のフッ素系ゴムからなり、このフッ素ゴムは、例えばフッ素系シリコーン樹脂、或いは、フッ素化ポリエーテル、或いは、パーフルオロポリエーテルポリマーを主成分としている。
【００１４】
次に、本実施の形態の作用を説明する。
内視鏡１にオートクレーブ滅菌を施すと、オートクレーブ滅菌による蒸気が、図示しないＯリング部及び接着部等を透過して、内視鏡１の内部に侵入する。このとき、先端部１３内のＣＣＤ３５と回路基板３６との電気的接合部と、回路基板３６と、回路基板３６上の電子部品３７と、導線３９と回路基板３６との電気的接合部は、蒸気透過性が低く吸湿性が低い封止剤４２で封止されており、オートクレーブ滅菌の蒸気によるこれらの部位の破損及び劣化が防止される。また、ＣＣＵコネクタ７内のピン５３と導線３９との電気的接合部は、蒸気透過性が低く吸湿性が低い封止剤５４で封止されており、オートクレーブ滅菌の蒸気によるこれらの部位の錆び、破損及び劣化が防止される。
【００１５】
以上説明したように、本実施の形態によれば、オートクレーブ滅菌に対する耐性が向上する。
また、撮像装置を気密パッケージに収納しなくてもオートクレーブ滅菌に対する耐性が得られるので、撮像装置が気密パッケージに収納される構成に比して、挿入部２が細径化し、また、低廉化が可能となる。
従って、本実施の形態によれば、オートクレーブ滅菌に対する耐性が向上しつつ、挿入部が細径化し、低廉化が可能となるという効果が得られる。
また、外力が加わると断線する等して破損し易い電気的接合部が、封止剤４２、５４で覆われているので、外力に対する電気的接合部の機械的耐性が向上する。
【００１６】
（第２の実施の形態）
図４は本発明の第２の実施の形態に係り、先端部の構成を示す断面図である。
図４に示すように、本実施の形態では、前記第１の実施の形態の先端部１３（図２参照）に代わって、先端部１０１が設けられている。他の構成は、前記第１の実施の形態と同様である。
【００１７】
前記先端部１０１は、前記第１の実施の形態の本体枠２１（図２参照）と略同様に構成された本体枠１０２と、前記第１の実施の形態のライトガイド２２（図２参照）と同様に構成されたライトガイド１０３の光出射端部と、前記第１の実施の形態の照明レンズ２３（図２参照）と同様に構成された照明レンズ１０４と、前記第１の実施の形態の撮像装置２４（図２参照）に代わって設けられた撮像装置１０５とを備えて構成されている。
【００１８】
前記撮像装置１０５は、前記本体枠１０２の透孔に嵌合固定され略円筒状に形成されたレンズ枠１１１と、前記レンズ枠１１１の先端部内周に水密に組み付けられたカバーガラス１１２と、前記レンズ枠１１１内に組み付けられた対物レンズ群１１３と、前記レンズ枠１１１の後端部に嵌合して水密に接合され、絶縁部材で形成された絶縁枠１１４と、前記絶縁枠１１４の後端部内周に水密に固着されたフィールドレンズ１１５と、前記フィールドレンズ１１５の後端面に接合されたカバーガラス１１６と、前記カバーガラス１１６の後端面に接合され、被写体像を撮像して撮像信号を得るＣＣＤ１１７と、前記ＣＣＤ１１７の側面から後方に向けて延出する複数のリード線１１８と、前記リード線１１８と電気的に接合されるとともに、前記リード線１１８により保持されて設けられた回路基板１１９と、前記回路基板１１９と半田等で電気的に接合し、後方へ延出して撮像信号等を伝送する複数の導線１２０の先端部と、前記導線１２０を束ねた信号ケーブル１２１の先端部と、前記回路基板１１９の後端面から前記信号ケーブル１２１の先端部にわたって設けられ、前記回路基板１１９と前記導線１２０との電気的接合部の周辺を封止する封止剤１２２とを備えて構成されている。なお、前記回路基板１１９は、例えばリジッドな基板であってもよいし、フレキシブル基板であってもよい。また、前記封止剤１２２は、蒸気透過性が低く、絶縁性のフッ素系ゴムからなり、このフッ素ゴムは、例えばフッ素系シリコーン樹脂、或いは、フッ素化ポリエーテル、或いは、パーフルオロポリエーテルポリマーを主成分としている。
【００１９】
次に、本実施の形態の作用を説明する。
内視鏡にオートクレーブ滅菌を施すと、オートクレーブ滅菌による蒸気が、図示しないＯリング部及び接着部等を透過して、内視鏡の内部に侵入する。このとき、回路基板１１９と導線１２０との電気的接合部は、蒸気透過性が低く吸湿性が低い封止剤１２２で封止されており、オートクレーブ滅菌の蒸気によるこれらの部位の破損及び劣化が防止される。また、レンズ枠１１１とカバーガラス１１２と絶縁枠１１４とフィールドレンズ１１５とで囲まれる部位は水密構造となっているので、この内部へのオートクレーブ滅菌による蒸気の侵入が妨げられる。
【００２０】
以上説明したように、本実施の形態によれば、オートクレーブ滅菌に対する耐性が向上する。
また、撮像装置を気密パッケージに収納しなくてもオートクレーブ滅菌に対する耐性が得られるので、撮像装置が気密パッケージに収納される構成に比して、挿入部が細径化し、また、低廉化が可能となる。
従って、本実施の形態によれば、オートクレーブ滅菌に対する耐性が向上しつつ、挿入部が細径化し、低廉化が可能となるという効果が得られる。
また、外力が加わると断線する等して破損し易い電気的接合部が、封止剤１２２で覆われているので、外力に対する電気的接合部の機械的耐性が向上する。
また、レンズ枠１１１とカバーガラス１１２と絶縁枠１１４とフィールドレンズ１１５とで囲まれる部位の内部への蒸気の侵入が妨げられるので、この内部に設けられた光学系が蒸気で曇ることを防止できる。
【００２１】
（第３の実施の形態）
図５は本発明の第３の実施の形態に係り、先端部の構成を示す断面図である。
なお、本実施の形態では、前記第２の実施の形態と同様に構成されている部位には同じ符号を付してその説明を省略する。
【００２２】
図５に示すように、本実施の形態では、前記第２の実施の形態の先端部１０１（図４参照）に代わって、先端部２０１が設けられている。前記先端部２０１は、前記第２の実施の形態の撮像装置１０５（図４参照）に代わって、撮像装置２０２が設けられて構成されている。
【００２３】
前記撮像装置２０２は、前記第２の実施の形態の撮像装置１０５（図４参照）と略同様に構成され、更に、絶縁枠１１４の後端部外周から前記回路基板１１９の側面にかけて前記絶縁枠１１４の後端部と前記ＣＣＤ１１７と前記リード線１１８の少なくとも一部とを覆う熱収縮チューブ２１１と、前記絶縁枠１１４と前記回路基板１１９の前端面と前記熱収縮チューブ２１１の内周面とで囲まれる部位に充填される充填剤２１２とを備えて構成されている。前記充填剤２１２は、蒸気透過性が低く、絶縁性のフッ素系ゴムからなり、このフッ素ゴムは、例えばフッ素系シリコーン樹脂、或いは、フッ素化ポリエーテル、或いは、パーフルオロポリエーテルポリマーを主成分としている。また、熱収縮チューブ２１１は、例えばフッ素樹脂等の蒸気透過性の低い材質で形成してもよい。
【００２４】
次に、本実施の形態の作用を説明する。
内視鏡にオートクレーブ滅菌を施すと、オートクレーブ滅菌による蒸気が内視鏡の内部に侵入する。このとき、回路基板１１９と導線１２０との電気的接合部は、蒸気透過性が低く吸湿性が低い封止剤１２２で封止されており、オートクレーブ滅菌の蒸気によるこれらの部位の破損及び劣化が防止される。また、レンズ枠１１１とカバーガラス１１２と絶縁枠１１４とフィールドレンズ１１５とで囲まれる部位は水密構造となっているので、この内部へのオートクレーブ滅菌による蒸気の侵入が妨げられる。
また、熱収縮チューブ２１１及び充填剤２１２により、熱収縮チューブ２１１で囲まれた内部へのオートクレーブ滅菌による蒸気の侵入が妨げられる。
【００２５】
以上説明した本実施の形態によれば、前記第２の実施の形態と同様の効果が得られる。
また、本実施の形態によれば、ＣＣＤ１１７及びそのリード線１１７のオートクレーブ滅菌に対する耐性が向上する。
【００２６】
（第４の実施の形態）
図６は本発明の第４の実施の形態に係り、先端部の構成を示す断面図である。
なお、本実施の形態では、前記第３の実施の形態と同様に構成されている部位には同じ符号を付してその説明を省略する。
【００２７】
図６に示すように、本実施の形態では、前記第３の実施の形態の先端部２０１（図５参照）に代わって、先端部３０１が設けられている。前記先端部３０１は、前記第３の実施の形態の撮像装置２０２（図５参照）に代わって、撮像装置３０２が設けられて構成されている。
【００２８】
前記撮像装置３０２は、前記第３の実施の形態の撮像装置２０２（図５参照）と略同様に構成されているが、前記第３の実施の形態の熱収縮チューブ２１１（図５参照）に代わって、熱収縮チューブ３１１が設けられ、前記第３の実施の形態の充填剤２１２（図５参照）及び封止剤１２２（図５参照）に代わって、充填剤３１２が設けられている。
【００２９】
前記熱収縮チューブ３１１は、絶縁枠１１４の後端部外周から信号ケーブル１２１の先端部外周にかけて、絶縁枠１１４の後端部とＣＣＤ１１７とリード線１１８と回路基板１１９と、導線１２０の信号ケーブル１２１からの延出部とを覆うようにして設けられている。また、前記充填剤３１２は、フィールドレンズ１１５の後端面と信号ケーブル１２１の先端部と熱収縮チューブ３１１の内周面とで囲まれる部位に充填されて設けられている。前記充填剤３１２は、蒸気透過性が低く、絶縁性のフッ素系ゴムからなり、このフッ素ゴムは、例えばフッ素系シリコーン樹脂、或いは、フッ素化ポリエーテル、或いは、パーフルオロポリエーテルポリマーを主成分としている。また、熱収縮チューブ３１１は、例えばフッ素樹脂等の蒸気透過性の低い材質で形成してもよい。
【００３０】
次に、本実施の形態の作用を説明する。
内視鏡にオートクレーブ滅菌を施すと、オートクレーブ滅菌による蒸気が内視鏡の内部に侵入する。このとき、レンズ枠１１１とカバーガラス１１２と絶縁枠１１４とフィールドレンズ１１５とで囲まれる部位は水密構造となっているので、この内部へのオートクレーブ滅菌による蒸気の侵入が妨げられる。
また、熱収縮チューブ３１１及び充填剤３１２により、熱収縮チューブ２１１で囲まれた内部へのオートクレーブ滅菌による蒸気の侵入が妨げられる。つまり、ＣＣＤ１１７とリード線１１８と回路基板１１９へ蒸気が到達することが妨げられる。
【００３１】
以上説明した本実施の形態によれば、前記第３の実施の形態と同様の効果が得られる。
また、本実施の形態によれば、リード線１１８の全体が熱収縮チューブ３１１で囲まれているので、その分、オートクレーブ滅菌に対する耐性が向上する。◎また、回路基板１１９と導線１２０の接合部は、熱収縮チューブ３１１で囲まれているので、その分、オートクレーブ滅菌に対する耐性が向上する。
【００３２】
なお、本発明は、上述の実施の形態のみに限定されるものではなく、発明の要旨を逸脱しない範囲で種々変形実施可能である。
例えば、ＣＣＤと回路基板との電気的接合部は、ＣＣＤの電極と回路基板の電極とを直接接合して構成してもよいし、ＣＣＤの電極と回路基板の電極とを導線を介して接合して構成してもよいし、ＣＣＤの電極と回路基板から延びる接続用の配線基板の電極とを接合して構成してもよい。
また、例えば、内視鏡は、軟性の挿入部を有する軟性鏡であってもよいし、硬性の挿入部を有する硬性鏡であってもよい。
【００３３】
［付記］
（付記項１）
被写体像を撮像する固体撮像素子と、第１の電気的接合部で前記固体撮像素子と電気的に接続される回路基板と、第２の電気的接合部で前記回路基板と電気的に接続される信号ケーブルと、第３の電気的接合部で前記信号ケーブルと電気的に接続されるコネクタとを有する内視鏡において、
前記第１の電気的接合部と前記回路基板と前記第２の電気的接合部と前記第３の電気的接合部のうち少なくともいずれかを封止するフッ素ゴムを備えたことを特徴とする内視鏡。
【００３４】
（付記項２）
付記項１に記載の内視鏡であって、
前記フッ素ゴムは、フッ素系シリコーン樹脂を主成分とする。
【００３５】
（付記項３）
付記項１に記載の内視鏡であって、
前記フッ素ゴムは、パーフルオロポリエーテルポリマーを主成分とする。
【００３６】
（付記項４）
対物レンズと、前記対物レンズによって結像される被写体像を受光する固体撮像素子と、前記固体撮像素子と電気的に接続される基板と、前記基板と電気的に接続される信号ケーブルと、前記信号ケーブルと電気的に接続されるコネクタとを有する撮像ユニットを備え、
前記撮像ユニットの電気的接合部の少なくとも一部をフッ素ゴムからなる封止剤で覆ったことを特徴とする内視鏡。
【００３７】
（付記項５）
付記項４に記載の内視鏡であって、
前記電気的接合部は、前記基板に設けた。
【００３８】
（付記項６）
付記項４または５に記載の内視鏡であって、
前記電気的接合部は、前記コネクタに設けた。
【００３９】
（付記項７）
付記項４、５または６に記載の内視鏡であって、
前記封止剤は、フッ素系シリコーン樹脂を主成分とする。
【００４０】
（付記項８）
付記項４、５または６に記載の内視鏡であって、
前記封止剤は、パーフルオロポリエーテルポリマーを主成分とする。
【００４１】
（付記項９）
付記項１に記載の内視鏡であって、
前記フッ素ゴムは、フッ素化ポリエーテルを主成分とする。
【００４２】
（付記項１０）
付記項４、５または６に記載の内視鏡であって、
前記封止剤は、フッ素化ポリエーテルを主成分とする。
【００４３】
【発明の効果】
以上説明したように、本発明によれば、オートクレーブ滅菌に対する耐性が向上しつつ、挿入部が細径化し、低廉化が可能となるという効果が得られる。
【図面の簡単な説明】
【図１】図１ないし図３は本発明の第１の実施の形態に係り、図１は内視鏡の構成を示す説明図
【図２】先端部の構成を示す断面図
【図３】ＣＣＵコネクタの構成を示す断面図
【図４】本発明の第２の実施の形態に係り、先端部の構成を示す断面図
【図５】本発明の第３の実施の形態に係り、先端部の構成を示す断面図
【図６】本発明の第４の実施の形態に係り、先端部の構成を示す断面図
【符号の説明】
１…内視鏡
７…ＣＣＵコネクタ
１３…先端部
３５…ＣＣＤ
３６…回路基板
３９…導線
４２…封止剤
５３…ピン
５４…封止剤
１１７…ＣＣＤ
１１９…回路基板
１２０…導線
１２２…封止剤
２１２…充填剤
１２２…封止剤
３１２…充填剤
【図１】
0004537514.tif 000002
【図２】
0004537514.tif 000003
【図３】
0004537514.tif 000004
【図４】
0004537514.tif 000005
【図５】
0004537514.tif 000006
【図６】
0004537514.tif 000007